(57)【要約】【課題】従来のバックは最大内容量、色、形又は材質を容易に変更する事が出来ず移動日程、人数又は場所によってその都度使用バックの変更が必要であり不便であった。【解決手段】バック表面に設置した面部材に有る連結用材を用いて、収納部を連結出来るようにして収納部数を増減できるようにした。また同時に前記連結用材を用いて取手、挿入具又は移動用車輪等を後付部品化し、使用場面により数、構成、色の変更が出来てバックの利便性、軽量化応性が向上した。【選択図】図１
2020028363.tif 000002
【特許請求の範囲】
【請求項１】
第１の収納部が形成され、前記第１の収納部の表面の上下、左右又は前後方向で少なくても１辺以上の縁部分に面部材を設置し、前記縁部分と隣接しない前記面部材の端部にファスナー、フック、バックル、ボタン又はテープを少なくとも１つを前記面部材に連結用材として設置し、且つ前記面部材に連結部が２部以上あり、前記第１の収納部と異なる第２の収納部や取手、柄、ショルダーベルト、支持バックル、設置用フック、移動用車輪、バック保護用レール又は椅子で構成された後付部品の少なくとも１つを連結する前記連結用材を設置した前記面部材を具備することを特徴とするバック。
【請求項２】
第１の収納部が形成され、前記第１の収納部の表面の上下、左右又は前後方向で少なくとも１辺以上の縁部分に面部材を設置し、前記縁部分と隣接しない前記面部材の端部にファスナー、フック、バックル、ボタン又はテープを少なくとも１つを前記面部材に連結用材として設置し、且つ前記面部材に連結部が２部以上あり、前記第１の収納部と異なる第２の収納部や隣接収納部を設置し、前記連結用材を用いて連結した連結収納部に取手、柄、ショルダーベルト、支持バックル、設置用フック、移動用車輪、バック保護用レール又は椅子で構成された後付部品の少なくとも１つを前記連結用材にて連結することを特徴とするバック。
【請求項３】
前記連結用材にて連結した前記連結収納部と前記面部材との間に構成された収納部を具備することを特徴とする請求項２に記載のバック。
【請求項４】
前記面部材の表面に布、プラスチック、金属又は木材の形成物の少なくとも１つを前記形成物と嵌合する装填用場、掛け場又は差し場の少なくとも１つに前記形成物を嵌合する事を特徴とする請求項１又は請求項２に記載のバック。
【発明の詳細な説明】
【技術分野】
【０００１】
本発明はバックの構成に関する。
【背景技術】
【０００２】
従来から肩掛けバックが知られている（例えば特許文献１参照）。
【先行技術文献】
【特許文献】
【０００３】
【特許文献１】特開２００４−０６５６２４号公報
【発明の概要】
【発明が解決しようとする課題】
【０００４】
従来のバックには内容量を超える物を収納出来難く、取手等の位置も自由に変更できず、好みの入れ方や運び方が出来なかった。
荷物の量により収納できる量を手軽に増減できることが望ましい。
【０００５】
個人の嗜好に合わせてバックの形、色又は組合せが容易に変更できることが望ましい。
【０００６】
従来のバックは収納物により、収納部の重心が移動し持ち難い為に、バックを支持する支持体の位置が収納後に変更できることが望ましい。
【０００７】
従来のバックは収納部に支持体などの部品が前もって装備されており、変更する事が出来難い。経年劣化した支持体などの部品、嗜好に合わない色合いの部品などを容易に安価に後付で変更できることが望ましい。
【０００８】
通常使用しない内容物を収納する収納部と頻度が多く使用する内容物を収納する収納部と分けて収納できることが望ましい。
【課題を解決するための手段】
【０００９】
従来のバックはファスナー、フック又はバックル等を収納部の表面に専用支持体を用いて直接取り付けてあり、使用目的に多様性がなかった。また、複数の収納部を連結する構造等になく、後で追加したい部品などを装備し難く、使用場面による支持強度向上が出来難く、収納部を重ねると強度不足が不安であった。本発明は収納部表面に前もって強固に面部材を設置し、面部材の中に材料の異なる連結用材が設置されている為に、収納部を任意に連結し、後付部品などが自由に取り付けられて、使用幅が大幅に広がり、収納部や後付け部品の連結強度も高められた。必要により連結用材と面部材の間に連結用材の専用の支持体を追加して連結強度を上げても良い。
【００１０】
面部材に多数の連結部がある為に大きさの異なる収納部が任意に連結でき収納量が１．２倍や１．５倍や５倍又は１０倍等変更できる。
【００１１】
第１の収納部の前後左右上下に異なる収納部を増減できるので、収納する量や形が自由に設定出来る。
【００１２】
収納部と連結した収納部の間にも面部材の幅により、別収納部が確保できる。目的別に収納場所を決めて収納しておけば使用場面により内容物の収納場所変更がしなくて良い。必要に応じて必要収納部をバックから分離し、単独で取り出し支持体などを後付し、別々に持ち出せる。
【００１３】
収納部の組み合わせが変更できるために、色や形を自由に変更出来て個人の嗜好に合った縦型、横型、Ｔ型、丸形又はモザイク模様等の収納部によるデザインバックが可能になる。
【００１４】
収納部の面部材には連結用材が設置されているために、内容量の変化や収容部の連結などによりバックの形や重心の位置が変わっても取手、柄又はショルダーベルトの位置を手軽に変更出来る。
【００１５】
後付で部品を変更できるので必要な部品を必要な時に購入し、また経年劣化した部品、嗜好に合わない色合いの部品など容易に安価に変更できる。
【発明の効果】
【００１６】
本発明により、使用者がバックを望む収納量、形、色合いまたは追加部品に容易に変更でき、嗜好に合わせバックを組立てられる。当初は使用者が最低限の組合せバックを用意し、収納部、後付部品の経年劣化による交換も最低限に出来る為にコスト負担を軽減できることが可能になる。
【００１７】
組立てたバックは取手等の支持場所が手軽に変更できるために安定して移動に供する事が出来る事が可能になった。
【００１８】
更に、使用者が用途別に内容物を収納出来て使用時も不使用時も収納部を変更することなく使う事が出来て、便利なバックや収納庫として使用できる。
【図面の簡単な説明】
【００１９】
【図１】本発明の実施形態によるバックを示す斜視図である。
【図２】面部材説明図である。
【図３】ピン側ファスナー面部材説明図である。
【図４】ボックス側ファスナー面部材説明図である。
【図５】多数面部材設置例箱型収納部である。
【図６】多連結収納部壁掛けバックである。
【図７】収納部間収納の取手付きバックである。
【発明を実施するための形態】
【００２０】
バックの収納部に面部材を設置し、面部材に多種の連結用材を具備する事により、収納部の増減が出来て収納量を変更でき、後付部品の選択も広がりバックとしての利便性を向上出来た。
【実施例１】
【００２１】
図１は本発明によるバックの背負い側概略図である。以下実施例１の収納部と面部材の素材は帆布を使用、接合設置は縫製である。図１に示すように３連結バック１ａは箱状の収納部１０ａと収納部１０ｂと収納部１０ｃよりなり、ピン側ファスナーを端部に縫製して持つ面部材２０ａとボックス側ファスナーを端部に持つ面部材２０ｂにて、図面手前側である背中側で収納部１０ｂと１０ｃを連結し、同様に背中側の反対側の同様な面部材２０ａと２０ｂで連結し、横２連結の連結収納体を設けている。また、収納部１０ａの背中側下辺にある両面ハトメパンチ穴を開けた面部材２０ｃの穴を用いて収納部１０ｂの上面に有る両面ハトメパンチ付き面部材２０ｃの穴に連結紐３０ａを用いて上下連結している。同様に収納部１０ａと１０ｃも穴を用いて連結紐３０ａにて連結し、更に背中側の反対側にある面部材を用いて同様に上下連結して強固な連結収納部を設けている。
【００２２】
収納部１０ａ背中側上辺にある両面ハトメパンチ付き面部材２０ｃの図面左側穴と収納部１０ｂ下辺に有る両面ハトメパンチ穴付き面部材２０ｃ左側穴と背負いパット付紐３０ｂにて結び図面左側にショルダーベルトを設けている。同様に収納部１０ａと１０ｃの面部材を使い背負いパット付紐３０ｂのショルダーベルトを設けている。収納部の重心の位置により適宜移動出来る様にして持ち運びを容易にした。Ｌ字型支持体を持つ移動用車輪３０ｃを収納部１０ｂの下辺に有る両面ハトメパンチ穴付き面部材２０ｃの左側穴と、収納部１０ｂの上辺に有る両面ハトメパンチ穴付き面部材２０ｃの左側穴を紐で結び図面左側に移動用車輪３０ｃを設置し、同様に図面右側移動用車輪３０ｃを収納部１０ｃ右側にも設けて、簡便移動用車輪としている。図１の上下黒三角連結図は連結紐３０ａの結び目を表している。両面ハトメパンチ穴付き面部材２０ｃの作成方法はカシメを使用。
【００２３】
ショルダーベルトや移動用車輪などと同様に収納部の支持体として取手、柄、支持バックル、設置用フック、移動用低摩擦レール又は椅子なども連結紐又は専用部品等を用いてバックに設置し安全な支持体と出来る。全ての面部材内に有る連結用材は任意な連結物を選ぶ事が出来る事に特徴がある。
【００２４】
図２は両面ハトメパンチ付き面部材２０ｃの詳細図であり、面部材の下辺表面の装填場にポリカーボネート形成物５０ａを嵌合して収納部の形を整える。場合によっては形成物を嵌合しない場合も在る。
【００２５】
面部材に設置する連結用材は耐摩耗性篝糸を使った篝穴、金属及びプラスチック両面及び片面パンチ穴、専用のファスナーテープを持つプラスチック及び金属ファスナーなどの面ファスナー、プラスチック及び金属フック、プラスチック及び金属バックル、ボタンとその篝穴又は接合テープなどが望ましい。
【００２６】
面部材の材料は面状に出来る材料であり加工できる物であれば如何なる材料でも良いが、布、革、プラスチックフィルム又は加工紙などが好ましい。
【００２７】
バックの収納部は前述の面部材の材料に加えて共重合樹脂、ハイブリッド樹脂、繊維強化プラスチック、金属強化プラスチック、プラスチック強化紙、アルミ等軽量で強度のある面材料が望ましい。
【００２８】
収納部と面部材や面部材と連結用材との接合や作成は材料に合わせた縫製、接着、粘着、嵌合、カシメ、融合や収納部材料のベロ出しなどが望ましい。
【００２９】
図３はピン側ファスナーのピン部品５０ｂを右側に持つ面部材２０ａの図である。ピン側ファスナーの部品である上止部品５０ｃ、務歯部品５０ｄ、テープ部品５０ｅ、両面ハトメパンチ穴部品５０ｆが４個設けられており、ピアノ線金属形成物５０ａ１が面部材左辺の表面装填場に嵌合されている。面部材の内部に嵌合されても良い。
【００３０】
図４は左側にボックス側ファスナーのボックス部品５０ｇを持つ面部材２０ｂに両面ハトメパンチ穴部品５０ｆ４個と木製形成物５０ａ２が面部材表面の掛け場を用いて設置している図である。
【実施例２】
【００３１】
図５は箱型の収納部１ｂに連結用の面部材が各辺に設けられている。以下実施例２の収納部と面部材の素材は鞣し革を使用、各間の接合は縫製、接着剤とフック部品のカシメを使っている。また、図面右側の辺には同一の辺に異なる形状の面部材が２本有りピン側ファスナー面部材と雄雌フック部品の雄側フック部品５０ｈと両端がピン側ファスナーを持つ面部材２０ｄが設けられている。面部材２０ｅはボックス側ファスナーだけが取り付けられている。多種類の面部材を設置することで、多種類の連結方法、多くの後付部品が連結できる様に設けられた概略説明図である。
【実施例３】
【００３２】
図６は収納ボックスバックとしても使える６連結バック１ｃで有り、６個の収納部を持つバックの簡素化した説明図を図示している。実際は収納部すべて連結されており図示の都合上解り易くするために各収納部１０ｂと１０ｃ等と吊用紐３０ｄを離して示している。収納部にピン側ファスナーを持つ面部材とボックス側ファスナーを持つ面部材を用いて横３連に連結し、両面ハトメパンチ穴部品５０ｆを用いて上下２段に紐にて連結されている。全収納部、全面部材名は細記していない。更に、図面左上辺と右上辺に雄バックル部品５０ｉが面部材に設けられ、吊用紐３０ｄの両端に雌バックル部品５０ｊが設けられている。以上は全て連結されており壁面に設けられたハンガーフック５０ｋに吊るされている。
【００３３】
上下連結、左右連結、前後連結又は面連結など好みによりバックが作れるが、多連結をする場合は必要に応じて専用の面部材を持つ収納部を選ぶのが経済的に望ましい。特に移動が少ない多連結バックの場合はボタンやフックや面ファスナーを具備した面部材バックなどが使い易い。
【実施例４】
【００３４】
図７は２連結バック図１ｄで収納部が横２連にファスナーを持つ面部材にて連結されており、図面左上と右上に雄雌フックの雄フック部品５０ｈが設けられた面部材と両端に雌フック部品５０ｌを持つ取手部品５０ｍが設けられており、連結された収納部の面部材にて囲まれた間に傘３０ｅの収納物が入れられた図である。実施例４の収納部素材はアルミ素材で有り、面部材は革である。各接合は金属カシメを使用してフック部品もカシメ取り付けである。
【００３５】
更に収納部が重たく収納部間に有るファスナーだけでは収納部間の連結力が不安定なために面部材と材料の異なるプラスチック糸を用いた篝穴５０ｎを利用して補強紐３０ｆにて補強している。
【００３６】
面部材に有る長円形点線部は面部材に収納部の形を整える為に嵌合したポリカーボネート形成物５０ａである。この嵌合形成物は形状復元力が高く軽量の素材が望ましい。例えばピアノ線、剛性ばね板、ポリカーボネート板、アルミ板、木板又は重ね布等が例として望ましい。面部材の表面に形成物を嵌合等する方法は面部材の中に穴を開けて通し串刺し状にする、フック状の掛りを設ける、２枚の板状物で挟む等を用い嵌合する事が出来る。形成物の設置は後付けするのが望ましいが、必要であれば面部材の中に予め挟み込んで使用しても良い。収納部の形状適合性を広める為に形成物を入れない場合も在る。
【００３７】
説明の収納部は箱型収納部を用いたが、球型、円筒型、三角柱型又はひょうたん型等対応できる面部材が作成出来れば、収納部の形状を限定する物では無い。また、面部材を大判化し収納部の代用に供する等や面部材の異なる辺に異なる連結用材を設置するなど用途を拡大する事が出来る。
【００３８】
当事者にとっては、本発明の多くの改良や他の実施形態が明らかである。従って、上記説明は、例示としてのみ解釈されるべきであり、本発明を実行する最良の形態を当業者に教示する目的で提供されたものである。本発明の精神を逸脱すること無く、その構造及び、又は機能の詳細を実質的に変更できる。
【符号の説明】
【００３９】
１ａ      ３連結バック
１ｂ      多数面部材持収納部
１ｃ      ６連結バック
１ｄ      ２連結バック
１０ａ    収納部ａ
１０ｂ    収納部ｂ
１０ｃ    収納部ｃ
２０ａ    ピン側ファスナー付面部材
２０ｂ    ボックス側ファスナー付面部材
２０ｃ    両面ハトメパンチ穴付面部材
２０ｄ    雄側フックと両端ピン側ファスナー付面部材
２０ｅ    ボックス側ファスナーのみ付面部材
３０ａ    連結紐
３０ｂ    パット付紐
３０ｃ    移動用車輪
３０ｄ    吊用紐
３０ｅ    傘
３０ｆ    補強紐
５０ａ    ポリカーボネート形成物
５０ａ１  ピアノ線形成物
５０ａ２  木製形成物
５０ｂ    ピン部品
５０ｃ    上止部品
５０ｄ    務歯部品
５０ｅ    テープ部品
５０ｆ    両面ハトメパンチ穴部品
５０ｇ    ボックス部品
５０ｈ    雄側フック部品
５０ｉ    雄バックル部品
５０ｊ    雌バックル部品
５０ｋ    ハンガーフック部品
５０ｌ    雌フック部品
５０ｍ    取手部品
５０ｎ    プラスチック糸篝穴部品
【図１】
2020028363.tif 000003
【図２】
2020028363.tif 000004
【図３】
2020028363.tif 000005
【図４】
2020028363.tif 000006
【図５】
2020028363.tif 000007
【図６】
2020028363.tif 000008
【図７】
2020028363.tif 000009